(57)【要約】【課題】既存の通信装置及び光伝送路を冗長化することができ、コスト増加を抑制しつつ、耐障害性を向上することができる光伝送システム及び光伝送方法を提供することを目的とする。【解決手段】本発明に係る光伝送システムは、送信側通信装置１００と受信側通信装置１１０との間を光伝送路１２１で接続している。送信側通信装置１００は、同一のデータで強度変調した互いに異なる波長λｓ１及び波長λｓ２の複数の信号光を光伝送路１２１を介して送信する送信機１１−１及び送信機１１−２を有し、送信側通信装置１００と対向する受信側通信装置１１０は、光伝送路１２１から複数の信号光を一括して受信する１つの受信機１５を有する。【選択図】図１
2010154064.tif 000002
【特許請求の範囲】
【請求項１】
複数の通信装置と、前記通信装置間を接続する光伝送路と、を備える光伝送システムであって、
前記通信装置の少なくとも１つは、同一のデータで強度変調した互いに異なる波長の複数の信号光を前記光伝送路を介して送信する複数の送信機を有し、
複数の前記送信機を有する該通信装置と対向する受信側の前記通信装置は、前記光伝送路から前記複数の信号光を一括して受信する１つの受信機を有することを特徴とする光伝送システム。
【請求項２】
複数の通信装置と、前記通信装置間を接続する光伝送路と、を備える光伝送システムであって、
前記通信装置の少なくとも１つは、同一のデータで強度変調した互いに異なる波長の複数の信号光を前記光伝送路を介して送信する複数の送信機を有し、
複数の前記送信機を有する該通信装置と対向する受信側の前記通信装置は、前記光伝送路からの前記複数の信号光を波長毎に分波する光分波器と、前記光分波器で波長毎に分波された信号光をそれぞれ受信する複数の受信機と、前記受信機が出力する信号の和を一括して出力する出力部と、を有し、
前記光分波器は、それぞれの前記受信機に出力する透過強度の和が一定となる波長−透過強度特性を持つことを特徴とする光伝送システム。
【請求項３】
複数の前記送信機を有する前記通信装置は、
前記受信機を有する前記通信装置と複数の前記送信機を有する前記通信装置との間の各々の光路長の中央値に相当する前記光伝送路上の位置に複数の前記送信機を有する前記通信装置からの前記複数の信号光が同時に到達するように波長毎に送信時間をずらして前記複数の信号光を送信することを特徴とする請求項１又は２に記載の光伝送システム。
【請求項４】
前記受信機を有する複数の前記通信装置に信号光を送信する、複数の前記送信機を有する前記通信装置は、
前記受信機を有する異なる前記通信装置に信号光を送信する場合、
前記受信機を有する前記通信装置と複数の前記送信機を有する前記通信装置との間の各々の光路長の中央値に相当する前記光伝送路上の位置に複数の前記送信機を有する前記通信装置からの前記複数の信号光が同時に到着するように波長毎に送信時間をずらした送信時間差を所定の時間に加えた間隔以上、
又は、
直前の送信対象とした前記受信機を有する前記通信装置に複数の前記送信機を有する前記通信装置からの前記複数の信号光が同時に到着するように波長毎に送信時間をずらした送信時間差と、
これから送信対象とする前記受信機を有する前記通信装置に複数の前記送信機を有する前記通信装置からの前記複数の信号光が同時に到着するように波長毎に送信時間をずらした送信時間差と、の差分を所定の時間に加えた間隔以上、
で送信することを特徴とする請求項１又は２に記載の光伝送システム。
【請求項５】
複数の前記送信機を有する前記通信装置は、
前記複数の信号光を送信する前に、
受信側の前記通信装置に対して複数の前記送信機から距離計測用の光を送信し、前記距離計測用の光が受信側の前記通信装置に到着した時刻より波長毎の到着時間差を取得、
又は、
受信側の前記通信装置に対して一つの前記送信機から距離計測用の光を送信し、前記距離計測用の光が受信側の前記通信装置に到着した時刻から計測した距離と複数の送信機の送信する信号光の波長と光伝送路の分散量とから波長毎の到着時間差を計算して取得し、
前記複数の信号光を送信時に、複数の前記送信機を有する前記通信装置からの前記複数の信号光が前記受信機を有する前記通信装置と複数の前記送信機を有する前記通信装置との間の各々の光路長差の中央値に相当する前記光伝送路上の位置又は送信対象の前記受信機を有する前記通信装置に同時に到着するように前記到着時間差だけ波長毎に送信時間をずらして前記複数の信号光を送信することを特徴とする請求項１から４のいずれかに記載の光伝送システム。
【請求項６】
前記複数の信号光の光強度を監視し、該光強度の減少から前記送信機の故障を検出し、前記送信機が出力する信号光の光強度を増大するように制御する光強度監視手段をさらに備えることを特徴とする請求項１から５のいずれかに記載の光伝送システム。
【請求項７】
送信側の通信装置が同一のデータで強度変調した互いに異なる波長の複数の信号光を同一の光伝送路を介して送信し、受信側の通信装置が前記複数の信号光を一括して受信することを特徴とする光伝送方法。
【発明の詳細な説明】
【技術分野】
【０００１】
本発明は、冗長化構成をとるパッシブオプティカルネットワーク構成の光加入者ネットワークシステムに関する。
【背景技術】
【０００２】
ブロードアクセスを実現する手段として、加入者宅まで光ファイバを使用するＦＴＴＨ（Ｆｉｂｅｒ  ｔｏ  ｔｈｅ  ｈｏｍｅ）が実用化段階にあり，今後更なる普及が期待されている。当初は、１００Ｍｂｐｓのメディアコンバータを利用したポイントツーポイント（Ｐｏｉｎｔ  ｔｏ  Ｐｏｉｎｔ）方式で１加入者に対し１本の光ファイバを割り当てていた。しかしながら、１本のファイバを占有するため、光伝送部分のコストが大きく、低コスト化に対しての阻害要因になっていた。この要求に対し、受動部品を用いて１本のファイバ、及び装置を複数ユーザでシェアすることで、低コスト化を実現するＰＯＮ（Ｐａｓｓｉｖｅ  ｏｐｔｉｃａｌ  ｎｅｔｗｏｒｋ）が提案された。ＰＯＮは、局装置（ＯＬＴ：ｏｐｔｉｃａｌ  ｌｉｎｅｔｅｒｍｉｎａｌ）と加入者装置（ＯＮＵ：ｏｐｔｉｃａｌ  ｎｅｔｗｏｒｋ  ｕｎｉｔ）間に受動素子から成る光カプラを設け、ＯＬＴ−光カプラと光カプラ−ＯＮＵはそれぞれ光ファイバで接続されている。
【０００３】
ＦＴＴＨシステムを用いて、電話、遠隔会議、専用線等の信頼性を要求するサービスを提供するためにはＦＴＴＨシステムの高信頼化が必要である。高信頼化構成として、光ファイバや光カプラといった主に光伝送路を構成する受動部品と、加入者装置及び局装置を構成する能動部品の冗長化を行う構成が標準化で提案されている。
【０００４】
また、光伝送路は敷設コストが高い一方故障率が低く、能動部品は故障率が高いとの観点で能動部品を冗長化することも提案されている（例えば、特許文献１及び２を参照。）。この技術は、波長の異なる複数の送信機と、波長毎に信号を分波する光分波器と、光分波器の出力をそれぞれ受信する複数の受信機を備えたものである。同一の伝送路を用いて、異なる波長の信号を多重する波長多重技術で冗長化した冗長構成であり、一定の信頼性が確保できる。
【０００５】
【特許文献１】特開昭６２−１６８４３６号公報
【特許文献２】特開平１１−１２２１７２号公報
【発明の開示】
【発明が解決しようとする課題】
【０００６】
図８は、従来の波長多重技術を用いた冗長構成を採用した光伝送システムの概略構成図である。この光伝送システムは、波長の異なる信号光を出力する複数の送信機（１１−１、１１−２）と、複数の信号光を合波する光合分波器１２−１と、波長毎に信号光を分波する光合分波器１２−１と、光合分波器１２−１の出力をそれぞれ受信する複数の受信機（１５−１、１５−２）と、受信機１５−１又は受信機１５−２の出力を選択する選択器１３を備えている。図８の光伝送システムでは、加入者装置１０１の光合分波器１２−１は波長λｓ１と波長λｓ２の信号光を合波する。また、波長λｓ１と波長λｓ２の方路の透過スペクトルの重なりは無視できるほど小さいため、局装置１１１の光合分波器１２−１は波長λｓ１と波長λｓ２の信号光を波長毎に分波することができる。冗長化するためには、受信側の通信装置に光合分波器１２−１、選択器１３及び複数の受信機（１５−１、１５−２）が必要であり、光伝送システムのコストが増加するという課題があった。
【０００７】
また、従来の波長多重技術の冗長構成を採用した光伝送システムは、既設の多くの加入者を収容するＰＯＮと波長の使用法等に相違があるために互換性がなく、導入するためには新規に光伝送路を敷設しなければならないという課題もある。
【０００８】
本発明は、上記課題を解決するためになされたもので、既存の通信装置及び光伝送路を活用でき、コスト増加を抑制しつつ、信頼性を向上することができる光伝送システム及び光伝送方法を提供することを目的とする。
【課題を解決するための手段】
【０００９】
前記目的を達成するために、本発明に係る光伝送システムは、送信側が同一のデータで強度変調した異なる波長の複数の信号光を同一の光伝送路を介して送信し、受信側がこれらの複数の信号光を一括して受信することとしている。
【００１０】
具体的には、本発明に係る光伝送システムは、複数の通信装置と、前記通信装置間を接続する光伝送路と、を備えており、前記通信装置の少なくとも１つは、同一のデータで強度変調した互いに異なる波長の複数の信号光を前記光伝送路を介して送信する複数の送信機を有し、複数の前記送信機を有する該通信装置と対向する受信側の前記通信装置は、前記光伝送路から前記複数の信号光を一括して受信する１つの受信機を有する。
【００１１】
また、本発明に係る光伝送方法は、送信側の通信装置が同一のデータで強度変調した互いに異なる波長の複数の信号光を同一の光伝送路を介して送信し、受信側の通信装置が前記複数の信号光を一括して受信することを特徴とする。
【００１２】
本発明に係る光伝送システム及び光伝送方法は、故障が送信機側に多く発生することに鑑み、異なる波長の送信光を送信する複数の送信機を備え、異なる波長の送信光は一括して受信されることでコスト低減の課題を解決する。すなわち、本発明においては、波長の異なる２系統以上の送信機を設け、その複数の送信機からの出力は１本の光伝送路に波長多重され、擬似的な冗長系通信パスを構成する。このため、ある波長の送信機が障害を起こした場合も他の波長により通信を継続することができる。本発明に係る光伝送システム及び光伝送方法は、従来の光伝送システムの受信側の通信装置に必要であった光分波器、複数の受信機及び選択器が不要のため、コストの低減を図ることができる。
【００１３】
また、多くの既設の加入者装置を収容するＰＯＮに本発明を導入する際は、複数の異なる波長の信号光を用いた局装置−加入者装置間の通信を既設の光伝送路で行うことができ、新たな光伝送路の敷設が不要である。つまり、既設の光伝送路に接続された既設の通信装置に影響を与えることなく、冗長化した通信装置のみの通信の対障害性を向上させることができる。
【００１４】
従って、本発明は、通信装置を冗長化することができ、既存の通信装置及び光伝送路を活用することが可能な光伝送システム及び光伝送方法を提供することができる。更に、既設のＯＮＵを既設の光伝送路を共用しつつ、局装置または加入側装置の少なくとも一方を冗長化することで、高信頼化のための冗長構成を加入者の要望に応じて実現することができる。
【００１５】
本発明に係る他の光伝送システムは、複数の通信装置と、前記通信装置間を接続する光伝送路と、を備えており、前記通信装置の少なくとも１つは、同一のデータで強度変調した互いに異なる波長の複数の信号光を前記光伝送路を介して送信する複数の送信機を有し、複数の前記送信機を有する該通信装置と対向する受信側の前記通信装置は、前記光伝送路からの前記複数の信号光を波長毎に分波する光分波器と、前記光分波器で波長毎に分波された信号光をそれぞれ受信する複数の受信機と、前記受信機が出力する信号の和を一括して出力する出力部と、を有している。また、前記光分波器は、それぞれの前記受信機に出力する透過強度の和が一定となる波長−透過強度特性を持つ。
【００１６】
本光伝送システムは、受信機も冗長化しているので、さらに高信頼化することができる。また、波長毎に個別に受信できる受信機であるので、障害が起きるまで、別々のデータを送信することが可能である。従って、加入者の要望により冗長構成、非冗長構成、回線容量の倍加の選択が可能であり、柔軟な加入者網の構成が可能となる。
【００１７】
さらに、光分波器が上記のような波長−透過強度特性をもつことで、波長特性の不明な冗長化していない信号光を受信する受信機を持つことが不要となる。波長が光分波器が分波した複数の波長に跨った波長を使用する可能性のある冗長化していない信号光及び冗長化した信号光を同じ受信機で受信することができるため、低廉な冗長化構成を実現することができる。
【００１８】
本発明に係る光伝送システムにおいて、複数の前記送信機を有する前記通信装置は、前記受信機を有する前記通信装置と複数の前記送信機を有する前記通信装置との間の各々の光路長の中央値に相当する前記光伝送路上の位置に複数の前記送信機を有する前記通信装置からの前記複数の信号光が同時に到達するように波長毎に送信時間をずらして前記複数の信号光を送信することが好ましい。異なる波長の信号光間において、光伝送路の波長分散の影響で生ずるスキューによる伝送特性劣化を軽減することができる。
【００１９】
波長毎に時間差をもって信号光を送信する場合、前記受信機を有する複数の前記通信装置に信号光を送信する、複数の前記送信機を有する前記通信装置は、前記受信機を有する異なる前記通信装置に信号光を送信する場合、前記受信機を有する前記通信装置と複数の前記送信機を有する前記通信装置との間の各々の光路長の中央値に相当する前記光伝送路上の位置に複数の前記送信機を有する前記通信装置からの前記複数の信号光が同時に到着するように波長毎に送信時間をずらした送信時間差を所定の時間に加えた間隔以上、又は、直前の送信対象とした前記受信機を有する前記通信装置に複数の前記送信機を有する前記通信装置からの前記複数の信号光が同時に到着するように波長毎に送信時間をずらした送信時間差と、これから送信対象とする前記受信機を有する前記通信装置に複数の前記送信機を有する前記通信装置からの前記複数の信号光が同時に到着するように波長毎に送信時間をずらした送信時間差と、の差分を所定の時間に加えた間隔以上、で送信することが好ましい。異なる通信装置への信号光同士が衝突することを防止することができる。
【００２０】
本発明に係る光伝送システムにおいて、複数の前記送信機を有する前記通信装置は、前記複数の信号光を送信する前に、受信側の前記通信装置に対して複数の前記送信機から距離計測用の光を送信し、前記距離計測用の光が受信側の前記通信装置に到着した時刻より波長毎の到着時間差を取得、又は、受信側の前記通信装置に対して一つの前記送信機から距離計測用の光を送信し、前記距離計測用の光が受信側の前記通信装置に到着した時刻から計測した距離と複数の送信機の送信する信号光の波長と光伝送路の分散量とから波長毎の到着時間差を計算して取得し、前記複数の信号光を送信時に、複数の前記送信機を有する前記通信装置からの前記複数の信号光が前記受信機を有する前記通信装置と複数の前記送信機を有する前記通信装置との間の各々の光路長差の中央値に相当する前記光伝送路上の位置又は送信対象の前記受信機を有する前記通信装置に同時に到着するように前記到着時間差だけ波長毎に送信時間をずらして前記複数の信号光を送信することが好ましい。異なる通信装置への信号光同士が衝突することを防止することができる。
【００２１】
本発明に係る光伝送システムは、前記複数の信号光の光強度を監視し、該光強度の減少から前記送信機の故障を検出し、前記送信機が出力する信号光の光強度を増大するように制御する光強度監視手段をさらに備えることが好ましい。受信機における信号強度の劣化を検出することで、故障の早期発見及び障害時の障害点特定することができる。また、故障による信号強度劣化の補償を行い、ロスバジェットを維持することができる。
【発明の効果】
【００２２】
以上述べたように、本発明は、通信装置の少なくとも一つは、異なる波長の送信光を送信する２系統以上の送信機を備え、その複数の送信機の出力は１本の光伝送路に波長多重され、通信装置間に擬似的な冗長系通信パスを構成する。そして、複数の異なる波長を用いた通信装置間の通信を同時に現用系とし、或る波長の送信機が障害を起こした場合も、残りの波長により通信を継続することで、光伝送路を共用する冗長化していない装置に影響を与えることなく、冗長化した通信装置のみの信頼性を向上させている。このため、コストを抑えながら光伝送系の２重化を図り、通信装置間の光送受信部障害による回線への影響を減少することができる。
【００２３】
従って、本発明は、既存の通信装置及び光伝送路を活用でき、コスト増加を抑制しつつ、信頼性を向上することができる光伝送システム及び光伝送方法を提供することができる。なお、受信側の通信装置が波長毎に個別に受信できる受信機である場合、異なる波長の信号光を送信する送信機は、障害が起きるまで別々のデータを送信することが可能である。従って、加入者の要望により冗長構成、非冗長構成、回線容量の倍加の選択が可能であり、柔軟な加入者網の構成が可能となる。
【発明を実施するための最良の形態】
【００２４】
添付の図面を参照して本発明の実施の形態を説明する。以下に説明する実施の形態は本発明の構成の例であり、本発明は、以下の実施の形態に制限されるものではない。なお、本明細書及び図面において符号が同じ構成要素は、相互に同一のものを示すものとする。また、枝番号を付さない符号での説明は該符号に枝番号を付した構成要素や信号全てに共通する説明である。
【００２５】
（第１の実施形態）
図１は、本実施形態の光伝送システムの概略構成図である。本光伝送システムは、送信側通信装置１００と受信側通信装置１１０との間を光伝送路１２１で接続している。送信側通信装置１００は、同一のデータで強度変調した互いに異なる波長λｓ１及び波長λｓ２の複数の信号光を光伝送路１２１を介して送信する送信機１１−１及び送信機１１−２を有し、送信側通信装置１００と対向する受信側通信装置１１０は、光伝送路１２１から複数の信号光を一括して受信する１つの受信機１５を有する。
【００２６】
図１の光伝送システムは、送信側通信装置１００が同一のデータで強度変調した互いに異なる波長λｓ１及び波長λｓ２の複数の信号光を光伝送路１２１を介して送信し、受信側通信装置１１０が複数の信号光を一括して受信する。
【００２７】
ここで、波長λｓ１と波長λｓ２は、光伝送路１２１を介して受信機１５で受信可能な波長の範囲内の波長でありかつ、両信号のビート成分が伝送帯域よりも十分大きな周波数となる波長間隔とする。十分大きな周波数とは、例えば、伝送帯域が１０Ｇｂｉｔ／ｓで受信側の電気の帯域が２０ＧＨｚとすると、２０ＧＨｚ以上であればよい。波長λｓ１とλｓ２を合波する光分波器１２−１は、送信機１１−１及び送信機１１−２からの光信号の強度の減衰を抑止するため、送信機１１−１からの信号光の波長λｓ１のとりうる波長では、光伝送路１２１から送信機１１−２の方路への透過スペクトル強度は無視できる程度に小さく、送信機１１−２からの信号光の波長λｓ２のとりうる波長では、光伝送路１２１から送信機１１−１の方路への透過スペクトル強度は無視できる程度に小さい光分波器を用いる。光合分波器１２−１による合波時の減衰が無視できる場合は、各方路の透過スペクトルの重なりは重なっていてもよく、光カプラ等の光合分岐器であってもよい。
【００２８】
送信機１１が行う変調は通常用いられている強度変調とし、両信号光の強度は等しいとする。光合分波器１２−１で合波された両信号光は、光伝送路１２１を経由して受信側通信装置１１０の受信機１５に到着し、一括して受信される。両信号光は同一のデータで変調されているので、受信機１５において両信号光の強度の和に応じた出力が得られる。光伝送路１２１は、光ファイバで示しているが、途中にコネクタ、光合分波器、光合分岐器等を介していてもよい。
【００２９】
なお、光伝送路１２１の波長分散により、両波長の信号光の到着時間差によるスキューが発生する場合、受信機１５において両信号光の到着時間差が零に近づくように送信機１１−１及び送信機１１−２で送信時刻を調整してもよい。スキューは、設置時の実ファイバ長や伝搬遅延の測定により求めた光伝送路の伝搬距離と、送信機１１−１及び送信機１１−２で用いる波長λｓ１と波長λｓ２の値と、その波長におけるファイバの分散量と、から算出してもよいし、送信機１１−１及び送信機１１−２からの波長λｓ１及び波長λｓ２での伝搬時間の測定から実際のスキューを求めてもよい。なお、送信機１１−１及び送信機１１−２からの波長λｓ１及び波長λｓ２は同一の光検出器で受信するため、スキューを測定する際は、波長毎に時間を分けて距離測定を行うことが望ましい。また、送信機１１−１及び送信機１１−２からの波長λｓ１及び波長λｓ２の信号光を両方出力し、スキューによるシンボルのずれがなくなると符号誤りが減少し、１シンボル以下でスキューの減少によりスキューにより広がった受信信号の鈍りが減少して受信強度が増大することを利用してスキューがなくなるように送信時刻を調整してもよい。
【００３０】
送信機１１の一方が故障して発光が停止した場合も、両信号光が同一のデータで変調されていたので、信号光の光強度が半減するだけであり、本光伝送システムは通信を継続することができる。このように、本光伝送システムは、単一の受信機１５で受けることとしたため、従来の受信側通信装置に必要であった光分波器、波長ごとの受信機及び選択器を排することができ、低廉な冗長化構成を実現することができる。なお、送信側通信装置１００が有する送信機１１は２つであるが、３つ以上（３波長以上）であっても同様の効果が得られる。
【００３１】
また、本光伝送システムは、複数の信号光の光強度の和を監視し、光強度の和の減少から送信機１１の故障を検出し、故障をしていない送信機１１が出力する信号光の光強度を増大するように制御する光強度監視手段（不図示）をさらに備える。信号光の光強度の低下を検出することで、送信機１１の故障を検出することができる。本光伝送システムでは、波長の検出を行わずに、信号光の光強度の変化のみを検出する。具体的には、以下の光強度監視手段を用いることができる。なお、本説明では、光強度の和を監視しているが、信号光個別に光強度を監視してもよく、伝送路路故障を意味するＳＦ（Ｓｉｇｎａｌ  Ｆａｉｌ）、誤り率劣化を意味するＳＤ（Ｓｉｇｎａｌ  Ｄｅｇｒａｄｅ）、送信機故障を意味するＴＦ（Ｔｒａｎｓｍｉｔｔｅｒ  Ｆａｉｌｕｒｅ）等の警報等の警報を監視してもよい。すなわち、光強度監視手段は信号光の光強度の変化に伴う事象を監視する手段であればよい。
【００３２】
[送信側で個別に検出する光強度監視手段]
送信機１１の光源は通常、その出力をモニターするための光検出器を具備している。そのモニター用の光検出器で出力低下を検出することで、光源の発光停止、すなわち信号光の光強度の低下を検出する。光源の発光停止を検出した場合、停止していない方の光源の出力を増大することでロスバジェット（最大許容損失）を維持することができる。例えば、ＬＤであれば、ＬＤの駆動電流を増大することで光源の出力を倍増することができる。この時、双方の光源の出力を増大するような制御形態であっても、一方の光源は発光停止しているため、こちらの送信機１１から信号光が送信されることはない。この構成は、通常の光源に付属の部品を利用するので、追加の部品が不要で安価な構成となる。
【００３３】
また、発光停止していない光源の出力のみを選択的に増大するような手段を備える場合、発光停止側の光源の出力を増大しない。例えば、ＬＤであれば発光停止側のＬＤの駆動電流を増大しないため、発光停止側の光源の出力も含めて増加するように制御した場合に比べて、消費電力的に有利である。消費電力は、発光停止側の光源への給電を停止すれば更に低減できる。このような手段を備える場合、発光停止側の光源を特定できるので、故障した光源の交換が容易になる。なお、以下のいずれかの光強度監視手段と組合わせることで、光源の光検出器も含めて故障した場合にも対応できるようになる。
【００３４】
[送信側で一括して検出する光強度監視手段]
光源から送信側通信装置１００の出力端までの間で、両光源の出力を分岐し、光源外にある光検出器（不図示）で光検波し、光強度の減少を検出する。光強度の減少を検出すると、発光停止した光源と停止していない光源の両方の出力を倍増する。この時、双方の光源の出力を増大するような制御形態であっても、一方の光源は発光停止しているため、発光停止している送信機１１−１又は送信機１１−２から信号光が送信されることはない。この構成では、光源を含む回路から独立した光検出器を用いるので、光源を含む回路の故障に対応することができる。さらに、この検出器が光源を含む個別の送信機１１−１及び送信機１１−２から独立していれば、光源を含む個別の送信機１１−１及び送信機１１−２全体の故障にも対応することができる。
【００３５】
[受信側で一括して検出する光強度監視手段]
受信側通信装置１１０で受信した信号光の光強度の減少を検出する。例えば、受信機１５が備える光検波器後段のＡＧＣ（Ａｕｔｏｍａｔｉｃ  Ｇａｉｎ  Ｃｏｎｔｒｏｌ：自動利得制御）アンプの増幅率の変化や、信号光強度に応じて増倍率を変化させる制御を行う場合のＡＰＤ（Ａｖａｌａｎｃｈｅ  Ｐｈｏｔｏｄｉｏｄｅ：雪崩増倍フォトダイオード）の増倍率の変化、受信強度減少に伴う誤り率の劣化により信号光の光強度の減少を検出することができる。また、誤り率は、誤り率自体を測定する部品から受け取り、その値の劣化から検出してもよいし、ＳＤ等の符号誤り率劣化の警報等の発出から検出することもできる。この手段は、信号光の光強度の減少を検出すると、送信側通信装置１００の送信機に対して、発光停止した光源と停止していない光源の両方の出力倍増を指示する。この時、双方の光源の出力を増大するような制御形態であっても、一方の光源は発光停止しているため、こちらの送信機１１から信号光が送信されることはない。この構成では、故障を検出するための光検出器を特別に具備することなく、光源を含む送信機１１全体の故障に対応することができる。
【００３６】
（第２の実施形態）
図２は、本実施形態の他の光伝送システムの概略構成図である。本光伝送システムと図１の光伝送システムとの違いは、一方の通信装置を加入者装置１０１、他の通信装置を局装置１１１とし、波長多重により、双方向通信をしていることにある。具体的には、加入者装置１０１が図１の送信側通信装置に受信機１５をさらに有し、局装置１１１が図１の受信側通信装置に送信機１１及び光合分波器１２−２をさらに有している。
【００３７】
加入者装置１０１から局装置１１１への上り信号光の伝送は図１の光伝送システムと同様である。局装置１１１から加入者装置１０１への下り信号光は、波長λｃ１であり、局装置１１１の送信機１１から送信される。下り信号光は、局装置１１１の光合分波器１２−２で上り信号光と波長多重される。光伝送路１２１を経由した下り信号光は、加入者装置１０１の光合分波器１２−１で上り信号光と分波され、受信機１５に受信される。
【００３８】
本光伝送システムでは、波長多重による双方向通信を実施しているため、方向別に信号光を分波するために光合分波器１２−１及び光合分波器１２−２を有しているが、光合分波器１２−１及び光合分波器１２−２による減衰と反射の影響を無視できれば光カプラー等の光分岐器であってもよい。無視できない場合、加入者装置１０１は、送信機１１−１の出力する信号光の波長λｓ１のとりうる波長では、光伝送路１２１から送信機１１−２及び受信機１５に接続する方路への透過スペクトル強度は無視できる程度に小さく、送信機１１−２の出力する信号光の波長λｓ２のとりうる波長では、光伝送路１２１から送信機１１−１及び受信機１５に接続する方路への透過スペクトル強度は無視できる程度に小さく、受信機１５の受信する信号光の波長λｃ１のとりうる波長では、光伝送路１２１から送信機１１−１及び送信機１１−２に接続する方路への透過スペクトル強度は無視できる程度に小さい光合分波器１２−１を用いる。局装置１１１では、送信機１１の出力する信号光の波長λｃ１のとりうる波長では、光伝送路１２１から受信機１５に接続する方路への透過スペクトル強度は無視できる程度に小さく、受信機１５の受信する波長λｓ１とλｓ２のとりうる波長では、光伝送路１２１から送信機に接続する方路への透過スペクトル強度は無視できる程度に小さい光分波器１２−２を用いる。なお、局装置１１１の光合分波器１２−２では、加入者装置１０１の光合分波器１２−１と異なり、受信側のλｓ１とλｓ２は分波しない。
【００３９】
本光伝送システムは、第１の実施形態で説明した光伝送システムと同様に異なる波長の複数の送信機１１−１と送信機１１−２の信号光を単一の受信機１５で受信するため、従来の受信側通信装置で必要であった複数の受信光を受信側でそれぞれ分岐するための光分波器及び分岐した光をそれぞれ光検波する波長ごとの受信機を排することができ、低廉な冗長化構成を実現することができる。その他、故障の検出と検出後の動作、送信時刻の調整等は第１の実施形態と同様である。なお、図２では上り方向のみ冗長化しているが、双方向とも冗長化してもよい。
【００４０】
（第３の実施形態）
図３は、本実施形態の他の光伝送システムの概略構成図である。本光伝送システムと図２の光伝送システムとの違いは、冗長化されていない加入者装置１０２が光伝送路１２１に接続されていることにある。例えば、本光伝送システムは、局装置１１１、加入者装置１０１、加入者装置１０２、光伝送路１２１及び光カプラ１２５でＰＯＮが構成される光アクセス網である。局側のＯＬＴと加入者側のＯＮＵは上り方向と下り方向の信号を波長多重によって多重している。信号光の波長は例えばＧＥ−ＰＯＮでは、上り１２６０−１３６０ｎｍ、下り１４８０−１５００ｎｍである。加入者装置１０１と加入者装置１０２はそれぞれの上り信号と下り信号に割り当てられた波長の範囲から選択した波長を用いて波長多重して、上り信号及び下り信号をそれぞれ波長多重して送信している。なお、加入者装置１０１が具備する光合分波器１２−１は、第２の実施形態の加入者装置１０１で説明した光合分波器１２−１と同様であり、局装置１１１が具備する光合分波器１２−２は第２の実施形態の局装置１１１で説明した光合分波器１２−２と同様である。加入者装置１０２が具備する光合分波器１２−１は、本実施形態の局装置１１１が具備する光合分波器１２−２と同様であり、送信機と受信機の接続する方路が逆になっている。
【００４１】
以下、下り方向と上り方向の信号光の流れに沿ってさらに説明を加える。
【００４２】
局装置１１１は、送信機１１−１が電気的な主信号のデータで波長λｃ１の光を変調した信号光を送信する。ここで、波長λｃ１は、下り信号に割り当てられ、加入者装置１０１及び加入者装置１０２の受信機１５で受信可能な波長の範囲内の波長であればよい。光カプラ１２５と光伝送路１２１を経由した両信号光は、加入者装置１０１及び加入者装置１０２の受信機１５に到着し受信される。
【００４３】
加入者装置１０１は、第１の実施形態の送信側通信装置で説明したように波長λｓ１及びは長λｓ２の信号光を合波して局装置１１１に送信する。局装置１１１は、第１の実施形態の受信側通信装置で説明したように波長λｓ１及びは長λｓ２の信号光を一括して受信する。
【００４４】
加入者装置１０２は、従来の加入者装置であり、電気的な主信号のデータで変調した１波長の信号光を送信する。図３では、加入者装置１０１の一方の波長と同じ波長のλｓ１としているが、上り信号に割り当てられ、局装置１１１の受信機１５で受信可能な波長の範囲内の波長であればよい。光カプラ１２５と光伝送路１２１を経由した信号光は、局装置１１１の受信機１５に到着し、従来の局装置と同様に受信される。スキューに対する送信時刻の調整は、第１の実施形態と同様としてもよいが、ＰＯＮ特有の情報を用いてよい。ＰＯＮではＯＮＵの距離の違いから生じる光信号の遅延時間を考慮して、ＯＮＵからの光信号が互いに衝突しないようにしている。遅延時間はレンジングにより測定する。レンジングでは、ＯＬＴがＯＮＵに対して距離測定用の信号を送信するよう要求する。ＯＮＵが距離測定用の信号を返すとＯＬＴはその信号を受信し、距離測定用の信号の送信要求から距離測定用の信号受信までの時間により距離を測定する，、ＩＴＵ−Ｔで標準化されているＰＯＮのＯＬＴでは全てのＯＮＵが等しく同じ距離、例えば２０ｋｍだけ離れていると仮定して、各ＯＮＵが光信号を送信するタイミングを決定・通知し、さらにＯＬＴは当該仮定した距離と各ＯＮＵが実際に設置されている距離との差分から生じる光信号の遅延時間（等化遅延量）をＯＮＵに通知し、ＯＮＵはＯＬＴから通知された送信タイミングから、通知された遅延時間だけ遅れたタイミングで光信号を送信する。従って、ＯＮＵに通知される等化遅延量を用いて、スキューに対する送信時刻の調整を行うことができる。ＩＥＥＥで標準化されているＰＯＮでは、等化遅延量という指示が存在せず、ディスカバリで測定した距離は、ＯＬＴがＯＮＵにグラントを送る場合には、測定された往復遅延時間に基づいてグラントのＳｔａｒｔ値を補正している。そのため、この測定した値を用いるためには、測定した距離をＯＬＴからＯＮＵに伝える手順を付与することで実現することができる。
【００４５】
本光伝送システムは、第１の実施形態で説明した光伝送システムと同様に異なる波長の複数の送信機１１−１と送信機１１−２の信号光を単一の受信機１５で受信するため、従来の受信側通信装置に必要であった複数の受信光を受信側でそれぞれ分岐するための光分波器、分岐した光をそれぞれ光検波する波長ごとの受信機及び選択器を排することができ、低廉な冗長化構成を実現することができる。その他の故障の検出と検出後の動作等は前述の実施形態と同様である。更に、既設のＯＮＵ、既設の光伝送路及び既設のＯＬＴを共用しつつ、加入者の要望に応じて、高信頼化した通信形態を追加していくことができる。その他、故障の検出と検出後の動作、送信時刻の調整等は第1の実施形態と同様である。
【００４６】
（第４の実施形態）
図４は、本実施形態の他の光伝送システムの概略構成図である。本光伝送システムと図３の光伝送システムとの違いは、局装置１１２が波長λｃ１の信号光を出力する送信機１１−１、波長λｃ２の信号光を出力する送信機１１−２及び切替器１８を有していることである。切替器１８は、波長λｃ１の信号光、波長λｃ２の信号光のいずれか一方を選択し、光合分波器１２−２を介して加入者装置１０１及び加入者装置１０２に送信する。
【００４７】
本光伝送システムは、上り信号に関して、図３の光伝送システムの構成と同様であり、第３の実施形態で説明したように高信頼化することができる。
【００４８】
次に、本光伝送システムの下り信号に関して説明する。局装置１１２は、送信機１１−１及び送信機１１−２が同一の電気的な主信号のデータでそれぞれ波長λｃ１と波長λｃ２の光を変調した信号光を送信する。ここで、波長λｃ１と波長入ｃ２は、下り信号に割り当てられ、加入者装置１０１及び加入者装置１０２の受信機１５で受信可能な波長の範囲内の波長である。
【００４９】
波長入ｃ１と波長λｃ２は、切替器１８により一方のみが光伝送路１２１に出力されるため、同一の波長であってもよい。局装置１１２の送信機１１−１と送信機１１−２の波長を分けない場合は、局装置１１２の光合分波器１２−２は、第３の実施形態の局装置１１１の光合分波器１２−２と同様である。局装置１１２の送信機１１−１と送信機１１−２の波長を分ける場合も、光分波器１２−２による減衰と反射の影響が無視できれば光カプラ等の光合分岐器であってよい。局装置１１２の送信機１１−１と送信機１１−２の波長を分け、かつ減衰や反射の影響が無視できない場合は、局装置１１２の送信機１１−１の出力する信号光の波長λｃ１のとりうる波長では、光伝送路１２１から局装置１１２の送信機１１−２及び受信機１５に接続する方路への透過スペクトル強度は無視できる程度に小さく、光伝送路１２１から局装置１１２の送信機１１−２の出力する信号光の波長λｃ２のとりうる波長では局装置１１２の送信機１１−１及び受信機１５に接続する方路への透過スペクトル強度は無視できる程度に小さく、光伝送路１２１から局装置１１２の受信機１５の受信する波長λｓ１と波長λｓ２のとりうる波長では送信機１１−１及び送信機１１−２に接続する方路への透過スペクトル強度は無視できる程度に小さい光分波器１２−２を用いる。光合分波器１２−２と光カプラ１２５と光伝送路１２１を経由した信号光は、加入者装置１０１及び加入者装置１０２の受信機１５に到着し受信される。両信号光は同一のデータで変調されているので、波長入ｃ１と波長λｃ２のいずれの信号光の場合も同一の出力が得られる。一方の波長の信号光を送信する送信機が故障し、発光が停止した場合、他方の信号光の送出を選択することで、通信継続が可能である。なお、局装置１１２に具備する切替器１８は、局装置１１２が具備する送信機１１−１又は送信機１１−２のいずれかのみを選択して信号光を出力する手段で切替器１８を実現してもよい。
【００５０】
本光伝送システムは、第１の実施形態で説明した光伝送システムと同様に異なる波長の複数の送信機１１−１と送信機１１−２の信号光を単一の受信機１５で受信するため、従来の受信側通信装置に必要であった複数の受信光を受信側でそれぞれ分岐するための光分波器、分岐した光をそれぞれ光検波する波長ごとの受信機及び選択器を排することができ、低廉な冗長化構成を実現することができる。その他、故障の検出と検出後の動作、送信時刻の調整等は第１の実施形態と同様である。更に、既設のＯＮＵ、既設の光伝送路及び既設のＯＬＴを共用しつつ、加入者の要望に応じて、高信頼化した通信形態を追加していくことができる。また、局装置１１２が複数の送信機を有するため、下り信号についても高信頼化することができる。
【００５１】
（第５の実施形態）
図５は、本実施形態の他の光伝送システムの概略構成図である。本光伝送システムと図４の光伝送システムとの違いは、局装置１１３が切替器１８を有さないことである。
【００５２】
本光伝送システムは、上り信号に関して、図３の光伝送システムの構成と同様であり、第３の実施形態で説明したように高信頼化することができる。
【００５３】
次に、本光伝送システムの下り信号に関して説明する。局装置１１３は、送信機１１−１及び送信機１１−２が同一の電気的な主信号のデータでそれぞれ波長λｃ１と波長λｃ２の光を変調した信号光を送信する。光合分波器１２−２、光カプラ１２５、光伝送路１２１及び光合分波器１２−１を経由した両信号光は、加入者装置１０１及び加入者装置１０２の受信機１５に到着し、一括して受信される。すなわち、下り信号に関しては、局装置１１３が図１の送信側通信装置１００に相当し、加入者装置１０１及び加入者装置１０２が図１の受信側通信装置１１０に相当する。従って、本光伝送システムは、下り信号についても第１の実施形態で説明したように高信頼化することができる。
【００５４】
本光伝送システムは、上り方向及び下り方向ともに、第１の実施形態で説明した光伝送システムと同様に異なる波長の複数の送信機１１−１と送信機１１−２の信号光を単一の受信機１５で受信するため、従来の受信側通信装置に必要であった複数の受信光を受信側でそれぞれ分岐するための光分波器、分岐した光をそれぞれ光検波する波長ごとの受信機及び選択器を排することができ、低廉な冗長化構成を実現することができる。その他、故障の検出と検出後の動作、送信時刻の調整等は第１の実施形態と同様である。更に、既設のＯＮＵ、既設の光伝送路及び既設のＯＬＴを共用しつつ、加入者の要望に応じて、高信頼化した通信形態を追加していくことができる。
【００５５】
（第６の実施形態）
図６は、本実施形態の他の光伝送システムの概略構成図である。本光伝送システムと図４の光伝送システムとの違いは、局装置１１４が上り信号の波長毎の受信機を有することである。本光伝送システムは、加入者装置１０１及び加入者装置１０２と局装置１１４との間を光伝送路１２１で接続している。加入者装置１０１は、同一のデータで強度変調した互いに異なる波長の複数の信号光を光伝送路１２１を介して送信する複数の送信機１５を有する。加入者装置１０１と対向する局装置１１４は、光伝送路１２１からの複数の信号光を波長毎に分波する光合分波器１２−２と、光合分波器１２−２で波長毎に分波された信号光をそれぞれ受信する受信機１５−１及び受信機１５−２と、受信機１５−１及び受信機１５−２が出力する信号の和を一括して出力する出力部１９と、を有する。
【００５６】
本光伝送システムの上り信号に関して説明する。加入者装置１０１及び加入者装置１０２は、図３の光伝送システムの構成と同じであり、加入者装置１０１からは波長λｓ１と波長λｓ２が合波した信号光が局装置１１４に向けて送信され、加入者装置１０２からは波長λｓ１の信号光が局装置１１４に向けて送信される。
【００５７】
局装置１１４は、光合分波器１２−２で信号光を波長λｓ１と波長λｓ２に分波し、それぞれ受信機１５−１と受信機１５−２で受信する。受信機１５−１及び受信機１５−２は、それぞれの信号光を電気信号のデータに変換して出力する。電気信号のデータを出力部１９で加算して出力してもよい。本光伝送システムは、局装置１１４の受信機１５も冗長化しているので、図１で説明した光伝送システムよりも高信頼化することができる。また、受信機１５−１及び受信機１５−２が波長毎に個別に受信できるので、障害が起きるまで、別々のデータを送信することが可能である。従って、加入者の要望により冗長構成、非冗長構成、回線容量の倍加の選択が可能であり、柔軟な加入者網の構成が可能となる。
【００５８】
局装置１１４の光合分波器１２−２は、加入者装置１０２の送信機１１−１が出力する信号光の取りうる波長の範囲で、光伝送路１２１から受信機１５−１及び受信機１５−２に出力する透過強度の和が一定となり、かつ加入者装置１０１の送信機１１−１の出力する信号光の波長λｓ１のとりうる波長の範囲で、光伝送路１２１から受信機１５−２に接続する方路への透過スペクトル強度は無視できるほど小さく、加入者装置１０１の送信機１１−２の出力する信号光の波長λｓ２のとりうる波長の範囲で、光伝送路１２１から受信機１５−１に接続する方路への透過スペクトル強度は無視できるほど小さい波長−透過強度特性を持つ。これは、加入者装置１０２からの信号光の波長が受信機１５−１と受信機１５−２でそれぞれ受信する波長の狭間となり、加入者装置１０２からの信号光の受信感度が低下することを抑止するためである。このような光合分波器１２−２の波長−透過強度特性を選択することで、加入者装置１０２の送信機１１−１の信号光がとりうる任意の波長の信号光を、受信機１５−１と受信機１５−２の出力する信号の和を一括して出力する出力部１９の出力にて、その波長によらず一定の強度で受信することができる。このため、加入者装置１０１の送信機１１−１と送信機１１−２のそれぞれ信号光を分波してそれぞれ受信機１５−１と受信機１５−２で独立に受信しつつ、加入者装置１０２からの信号光専用の受信機を排することができる。
【００５９】
なお、加入者装置１０２からの信号光専用の受信機を具備する場合は、例えば以下のような構成になる。これは、光カプラ１２５から複数の光ファイバで局装置１１４まで接続する場合又は局装置１１４に到着した光を分岐後にそれぞれを異なる光合分波器１２−２に入力できる場合に適用できる。この時、局装置１１４は受信機１５−１と受信機１５−２に加えて、第３の実施形態等で用いた受信機１５を具備し、一方の光ファイバの出力を加入者装置１０１の送信機１１−１と送信機１１−２の出力する信号光とで分波する光合分波器１２−２に接続し、光合分波器１２−２の受信機１５−１と受信機１５−２への方路に出力する。他方のファイバの出力を加入者装置１０２の送信機１１−１が出力しうる全波長を透過する波長を光合分波器１２−２に接続し、第３の実施形態等で用いた受信機１５と同様の受信機への方路に出力するとしてもよい。この時、受信機１５−１と受信機１５−２が出力する信号光の和を一括して出力する出力部１９は不要となる。また、加入者装置１０１および１０２の光信号を光カプラ１２５から複数の光ファイバで局装置１１４まで接続する場合又は減衰が無視できる場合は、局装置１１４の光合分波器１２−２による受信機１５−１と受信機１５−２への分波は、受信機１５−１への方路は加入者装置１０１の送信機１１−２の信号光の波長λｓ２のとりうる波長を阻止するブロッキングフィルタによって実現し、受信機１５−２への方路は加入者装置１０１の送信機１１−１の信号光の波長λｓ１のとりうる波長を阻止するブロッキングフィルタによって実現してもよい。
【００６０】
本光伝送システムは、下り信号に関して、図５の光伝送システムの構成と同様であり、第５の実施形態で説明したように高信頼化することができる。本光伝送システムは、下り方向において、第１の実施形態で説明した光伝送システムと同様に単一の受信機１５で受信するため、従来の受信側通信装置に必要であった光分波器、波長ごとの受信機及び選択器を排することができ、低廉な冗長化構成を実現することができる。
【００６１】
一方、上り方向において、複数の受信機１５で受信し、冗長化しているので図１の光伝送システムより高信頼化することができる。また、上記のような光合分波器の波長−透過特性とすることで、加入者装置１０２専用の受信機が不要となり、低廉な冗長化構成を実現することができる。その他の故障の検出と検出後の動作等は前述の実施形態と同様である。更に、既設のＯＮＵ、既設の光伝送路及び既設のＯＬＴを共用しつつ、加入者の要望に応じて、高信頼化した通信形態を追加していくことができる。
【００６２】
（第７の実施形態）
本光伝送システムは、光伝送路１２１の波長分散に起因する異なる波長の信号光間のスキューを低減する送信機１１を備える。例えば、図１の送信機１１−１からの波長λｓ１の信号光と送信機１１−２からの波長λｓ２の信号光が同時に送信された場合、光伝送路１２１の波長分散により、両信号光が受信機１５に到着する時刻にずれ（スキュー）が生ずる。このずれが生じないように送信機１１−１及び送信機１１−２で送信時刻をずらして信号光を送信することが望ましい。しかし、この到着時刻のずれは光伝送路の距離によって変わる。例えば、図５の光伝送システムの局装置１１３のように、複数の加入者装置に信号光を送信する場合、加入者装置１０１の受信機１５に信号光が同時に到着するように波長λｃ１と波長λｃ２の信号光の送信時刻を設定すると、加入者装置１０２の受信機１５における両信号光の到着時刻のずれが大きくなってしまうことがある。
【００６３】
このため、本光伝送システムは、それぞれの加入者装置と局装置との光伝送路の距離の中央値である平均長を利用し、複数の信号光が光伝送路を平均長進んだ場所に同時に到着するように送信時刻をずらして送信機に信号光を送信させている。具体的には、複数の送信機１１を有する通信装置（送信側通信装置１００、加入者装置１０１、局装置１１３及び局装置１１４）は、光伝送路１２１上の、複数の送信機１１を有する通信装置と受信機１５を有する通信装置との間の各々の光路長の中央値の光伝送路１２１の位置で、複数の信号光が同時に到達するように波長毎に時間差（ΔＴ０）をもって前記複数の信号光を送信する。
【００６４】
図５の光伝送システムを利用して説明する。予め、局装置１１３から加入者装置１０１までの距離と局装置１１３から加入者装置１０２までの距離の中央値ＡＶＥＬを求めておく。加入者装置１０１は、波長λｓ１と波長λｓ２の信号光の間のスキューが局装置１１３において零に近づくように、一方の信号光の送信時刻を時間差（ΔＴ１）分遅らせて送信する。送信時刻ではなく、時間的に遅らせて変調を行ってもよい。以下、一方の信号光の送信時刻を時間差分遅らせることをスキュー処理と記載する。なお、加入者装置１０２は送信機１１−１のみであるためスキュー処理は不要である。
【００６５】
一方、局装置１１３は、局装置１１３から平均長ＡＶＥＬの地点で、波長λｃ１と波長λｃ２の信号光の間のスキューが零に近づくように、時間差（ΔＴ０）でスキュー処理を行う。例えば、局装置−加入者装置の距離が０−１０ｋｍに一様分布しているときは、中央値ＡＶＥＬ＝５ｋｍであり、５ｋｍでスキューが零に近づくようにスキュー処理を行い、局装置−加入者装置の距離が１０−２０ｋｍに一様分布しているときは、中央値ＡＶＥＬ＝１５ｋｍであり、１５ｋｍでスキューが零に近づくようにスキュー処理を行う。
【００６６】
なお、スキューの値は伝搬距離によって異なり、ある伝搬距離でスキューがなくなるように設定した場合、異なる伝搬距離ではスキューが残存する。このため、どの伝搬距離の加入者装置においても、異なる波長の信号光同士が時間的に重なる（衝突する）ことを防止するために、局装置１１３は、異なる加入者装置に対する下り信号同士を送信機１５で付与する時間差（ΔＴ０）に相当する時間だけ離している。すなわち、受信機１５を有する複数の加入者装置に信号光を送信する局装置は、連続して信号光を送信する場合、所定の時間（ＧＴ０）に時間差（ΔＴ０）を加えた間隔で送信する。例えば、ｎ番目の信号光をｎ−１番目の信号光から離す時間ＧＴ（ｎ）は次式で示される
ＧＴ（ｎ）＝０．５×ｓｋｅｗ＿ｍａｘ＋ＧＴ０
ここで、ｓｋｅｗ＿ｍａｘは、補償すべきスキューが最大の加入者装置と最小の加入者装置の差分であり、送信機で補償する時間差（ΔＴ０）の倍である。所定の時間（ＧＴ０）は、分散によるスキューがない場合に離す時間である。その他の故障の検出と検出後の動作等は前述の実施形態と同様であり、距離の測定方法も前述の実施形態と同様としてよい。
【００６７】
本光伝送システムは、光伝送路の波長分散の影響による異なる波長の信号光間のスキューによる伝送特性劣化を軽減することができる。
【００６８】
（第８の実施形態）
第７の実施形態で説明したように光伝送路１２１の波長分散に起因する信号光のビットの広がりを防止するため、本光伝送システムは、局装置から加入者装置への下り信号に関するスキュー処理及び異なる加入者装置への信号光を送信する時間の間隔を制御する。図５の光伝送システムを利用して詳細に説明する。送信機１１−１及び送信機１１−２を有する局装置１１３は、複数の信号光を送信する前に、加入者装置１０１に対して送信機１１−１及び送信機１１−２から波長λｃ１及び波長λｃ２の時間計測用光を送信し、時間計測用光が加入者装置１０１に到着した時刻より波長毎の到着時間差（ｓｋｅｗ１）を測定する。局装置１１３は、複数の信号光を送信時に、波長λｃ１及び波長λｃ２の信号光が加入者装置１０１に同時に到達するように波長毎に到着時間差（ｓｋｅｗ１）をもって複数の信号光を送信する。送信時刻ではなく、時間的に遅らせて変調を行ってもよい。局装置１１３は、加入者装置１０２へ送信する場合も同様に到着時間差（ｓｋｅｗ２）を測定し、到着時間差（ｓｋｅｗ２）でスキュー処理を行う。
【００６９】
さらに、局装置１１３は、加入者装置１０１と加入者装置１０２に連続して信号光を送信する場合、直前の加入者装置へ送信した複数の信号光に適用した到着時間差（ｓｋｅｗ（ｎ−１））と、これから加入者装置へ送信しようとする複数の信号光に適用する到着時間差（ｓｋｅｗ（ｎ））と、の差分を所定の時間（ＧＴ０）に加えた間隔で送信する。
【００７０】
具体的には、図７に説明するように、異なる加入者装置（ＯＮＵ１、２、３）に対する下り信号同士が衝突することを防止するために、局装置（ＯＬＴ）は、異なる加入者装置に対する下り信号同士の間隔を、直前に受信対象であった加入者装置における到着時間差（ｓｋｅｗ（ｎ−１））と現在受信対象とする加入者装置における到着時間差（ｓｋｅｗ（ｎ））との差で調整する。ｎ番目の送信光の離す時間ＧＴ（ｎ）は次式で示される。
ＧＴ（ｎ）＝｜ｓｋｅｗ（ｎ）−ｓｋｅｗ（ｎ−１）｜＋ＧＴ０
ここで、ｓｋｅｗ（ｎ）はｎ番目の送信光の到着時間差の値である。
【００７１】
受信対象の加入者装置に補償すべき到着時間差の値に拠らずランダムに与えた場合、波長分散により信号光間を離す時間の増加の総和は、第７の実施形態で説明した光伝送システムと同じとなる。例えば、３２個の加入者装置に一巡するように割り当てる場合、１６×ｓｋｅｗ＿ｍａｘとなる。一方、本実施形態のように、それぞれの加入者装置の到着時間差で補償した場合、波長分散により信号光間を離す時間の増加の総和を削減できる。例えば、３２個の加入者装置がある場合に、２×ｓｋｅｗ＿ｍａｘであり、１／８となる。その他の故障の検出と検出後の動作等は前述の実施形態と同様であり、距離の測定方法も前述の実施形態と同様としてよい。
【００７２】
従って、本光伝送システムは、光伝送路の波長分散の影響による異なる波長の信号光間のスキューによる伝送特性劣化を更に軽減することができる。
【産業上の利用可能性】
【００７３】
本発明に係るスキューを考慮した信号光の間隔の設定は、複数の加入者装置間で送信機を共用し、局装置の送信機における送信時間と加入者装置の受信機における受信時間が、重ならないように制御するＷＤＭ／ＴＤＭ等の方式においても適用することができる。
【図面の簡単な説明】
【００７４】
【図１】本発明に係る光伝送システムの概略構成図である。
【図２】本発明に係る光伝送システムの概略構成図である。
【図３】本発明に係る光伝送システムの概略構成図である。
【図４】本発明に係る光伝送システムの概略構成図である。
【図５】本発明に係る光伝送システムの概略構成図である。
【図６】本発明に係る光伝送システムの概略構成図である。
【図７】本発明に係る光伝送システムにおいて、信号光の間隔を説明する図である。
【図８】従来の光伝送システムの概略構成図である。
【符号の説明】
【００７５】
１１、１１−１、１１−２：送信機
１２、１２−１、１２−２：光合分波器
１３：選択器
１５、１５−１、１５−２：受信機
１８：切替器
１９：出力部
１００：送信側通信装置
１０１、１０２：加入者装置
１１０：受信側通信装置
１１１、１１２、１１３、１１４：局装置
１２１：光伝送路
１２５：光スプリッタ
【図１】
2010154064.tif 000003
【図２】
2010154064.tif 000004
【図３】
2010154064.tif 000005
【図４】
2010154064.tif 000006
【図５】
2010154064.tif 000007
【図６】
2010154064.tif 000008
【図７】
2010154064.tif 000009
【図８】
2010154064.tif 000010